(57)【特許請求の範囲】
【請求項１】
文字情報を表示する表示部と、
入力文字列に対する予測単語の情報を記憶する予測用単語データベースと、
前記予測単語に繋がる文字列となり得る付属語を記憶する繋がり付属語データベースと、
文字入力のための動作モードとして所定の表現モードを設定する設定部と、
文字入力時に入力された文字列に基づき前記予測用単語データベースから予測単語候補を検索し、検索された前記予測単語候補を前記表示部に表示し、表示された前記予測単語候補の１つを指定する予測単語候補表示制御部と、
指定された前記予測単語に基づき前記繋がり付属語データベースから繋がり付属語候補を選択し、前記設定部で所定の表現モードに設定されていれば、前記選択された繋がり付属語候補のうち前記所定の表現モードに適した付属語を優先的に前記表示部に表示する繋がり付属語候補表示制御部と、
を含み、
前記設定部で設定される前記所定の表現モードは、敬語調で文章を作成する場合の敬体モードを含み、
前記設定部は、敬語調で文章を作成する場合の前記敬体モードか口語調で文章を作成する場合の常体モードかの動作モードの情報を記憶するモード記憶部であり、
前記繋がり付属語データベースにおける前記付属語のうち前記敬体モードで使用する前記付属語には予めフラグをつけておき、前記繋がり付属語候補表示制御部は、前記モード記憶部に前記敬体モードが記憶されていれば前記選択された前記繋がり付属語候補のうち前記フラグがつけられた前記付属語が上位に来るように並べ替える
ことを特徴とする文字入力装置。
【請求項２】
前記予測用単語データベースは、少なくとも自立語の入力文字列の読み、表記、品詞の情報を前記予測単語の情報として記憶し、
前記繋がり前記付属語データベースは、少なくとも前記品詞と、前記品詞対応の前記付属語の情報を記憶することを特徴とする請求項１記載の文字入力装置。
【請求項３】
前記繋がり付属語候補表示制御部は、指定された前記予測単語の品詞に基づき、前記繋がり付属語データベースから前記繋がり付属語候補を選択することを特徴とする請求項２記載の文字入力装置。
【請求項４】
前記繋がり付属語候補表示制御部は、前記動作モードが前記常体モードであれば前記選択された前記繋がり付属語候補をそのまま前記表示部に表示することを特徴とする請求項１乃至３の何れか一項に記載の文字入力装置。
【請求項５】
前記繋がり付属語候補表示制御部により前記表示部に表示された前記繋がり付属語候補の１つが選択された場合に、選択された前記繋がり付属語が敬体モードの場合は、前記モード記憶部に記憶される前記動作モードを前記敬体モードに設定するモード設定制御部を備えることを特徴とする請求項１乃至４の何れか一項に記載の文字入力装置。
【請求項６】
前記繋がり付属語候補表示制御部により前記表示部に表示された前記繋がり付属語候補の１つが選択された場合に、選択された前記繋がり付属語に前記フラグがつけられていた場合は、前記モード記憶部に記憶される前記動作モードを前記敬体モードに設定するモード- 
設定制御部を備えることを特徴とする請求項１乃至４の何れか一項に記載の文字入力装置。
【請求項７】
前記動作モードが前記敬体モードに設定されたときにリセットされる常体候補カウンタと、選択された前記付属語が常体モード候補の場合は、前記常体候補カウンタを更新し更新された前記常体候補カウンタの値が予め定められた値より大きければ前記モード記憶部に記憶される前記動作モードを前記常体モードに設定する前記モード設定制御部を備えることを特徴とする請求項５または６に記載の文字入力装置。
【請求項８】
少なくとも文字を入力する入力部と、
少なくとも入力された前記文字列及び予測単語候補及び繋がり付属語候補を表示する表示部と、
前記入力部を介して入力された文字列に基づき予測用単語データベースから予測単語候補を検索し検索された前記予測単語候補を前記表示部に表示し表示された前記予測単語候補の１つが前記入力部を介して選択されると繋がり付属語候補表示制御部を起動する予測単語候補表示制御部と、
選択された前記予測単語の品詞に基づき繋がり付属語データベースから繋がり付属語候補を選択し、モード記憶部に記憶された動作モードが敬体モードであれば前記選択された付属語候補のうち敬体で使用する付属語が上位に来るように並び替えて前記表示部に表示する前記繋がり付属語候補表示制御部と、
少なくとも自立語の読み、表記、品詞の項目から構成される前記予測用単語データベースと、
少なくとも前記品詞と、前記品詞対応の前記付属語から構成される前記繋がり付属語データベースと、
前記動作モードが敬語調で文章を作成する場合の前記敬体モードか口語調で文章を作成する場合の常体モードかの動作モード情報を記憶するモード記憶部とを含み、
前記繋がり付属語データベースにおける前記付属語のうち前記敬体モードで使用する前記付属語には予めフラグをつけておき、前記繋がり付属語候補表示制御部は、前記モード記憶部に前記敬体モードが記憶されていれば前記選択された前記繋がり付属語候補のうち前記フラグがつけられた前記付属語が上位に来るように並べ替える
ことを特徴とする文字入力装置。
【請求項９】
前記請求項１乃至８の何れか一項に記載の文字入力装置を含む情報処理機器。
【請求項１０】
文字情報を表示する表示部と、入力文字列に対する予測単語の情報を記憶する予測用単語データベースと、前記予測単語に繋がる文字列となり得る付属語を記憶する繋がり付属語データベースと、文字入力のための動作モードとして所定の表現モードを設定する設定部と、を予め備え、
文字入力時に入力された文字列に基づき前記予測用単語データベースから予測単語候補を検索し、検索された前記予測単語候補を前記表示部に表示し、表示された前記予測単語候補の１つを指定すると、指定された前記予測単語に基づき前記繋がり付属語データベースから繋がり付属語候補を選択し、前記設定部で所定の表現モードに設定されていれば、前記選択された繋がり付属語候補のうち前記所定の表現モードに適した付属語を優先的に前記表示部に表示し、
前記設定部で設定される前記所定の表現モードは、敬語調で文章を作成する場合の敬体モードを含み、
前記設定部は、敬語調で文章を作成する場合の前記敬体モードか口語調で文章を作成する場合の常体モードかの動作モードの情報を記憶するモード記憶部であり、
前記繋がり付属語データベースにおける前記付属語のうち前記敬体モードで使用する前記付属語には予めフラグをつけておき、前記モード記憶部に前記敬体モードが記憶されていれば前記選択された前記繋がり付属語候補のうち前記フラグがつけられた前記付属語が上位に来るように並べ替える
ことを特徴とする情報処理機器における文字入力方法。
【請求項１１】
前記予測用単語データベースは、少なくとも自立語の入力文字列の読み、表記、品詞の情報を前記予測単語の情報として記憶し、
前記繋がり前記付属語データベースは、少なくとも前記品詞と、前記品詞対応の前記付属語の情報を記憶することを特徴とする請求項１０記載の情報処理機器における文字入力方法。
【発明の詳細な説明】
【技術分野】
【０００１】
本発明は文字入力装置および情報処理機器における文字入力方法に関する。
【背景技術】
【０００２】
一般的に携帯電話装置における文字入力方法は、「１」〜「０」のテンキーのそれぞれに５０音の行を割り当て、押下した回数により、割り当てられている行の文字が変化していく方式を採用している。この方式では「お」を入力するためには、「１」キーを５回押下する必要がある。そのため、この方式は、入力文字数が多くなればなるほど、爆発的にキーの押下回数が増えてくるという問題があった。
【０００３】
そのため、その押下回数を削減するために、入力途中のひらがなと前方一致する単語を予測する予測入力方式が一般的になりつつある。その予測入力方式においては、携帯電話装置は、入力済みの単語から、その言葉に続く言葉を予測する機能（以下、繋がり予測入力方式）を有していることが多い。
【０００４】
この繋がり予測入力方式においては、携帯電話装置は、選択、確定されたそれぞれの単語毎に付与されている品詞情報に従い、繋がり付属語候補を決定している。
【０００５】
尚、品詞とは、名詞、動詞、形容詞、形容動詞などをいい、動詞には上１段活用、下１段活用、５段活用などにおける活用形がある。また、付属語とは、助詞や助動詞のように、単独では文節になり得ない語を言う。
【０００６】
このような繋がり予測入力方式の一例が特許文献１に記載されている。
【０００７】
この特許文献１に記載の文字予測入力方式は、少なくとも、入力部、出力部、制御部、予測制御部、予測自立語辞書検索部、予測付属語辞書検索部、予測自立語辞書、予測付属語辞書を含んで構成される。
【０００８】
入力部は、キーボードや、マウス、ペン入力装置などであり、文字列の入力、カーソルの移動、文字列の挿入削除などの編集指示、次候補表示、候補選択などのコマンド入力を取り込む。
【０００９】
出力部は、ディスプレイなどを有し、入力された文字列や、予測された単語や、選択された単語につながる繋がり付属語候補を表示する。
【００１０】
制御部は、入力部から取り込んだ情報を解析して、各処理部に情報を送り、逆に各処理部からの情報を編集して、出力部に出力する。
【００１１】
予測制御部は、制御部を介して読み文字列を受け取り、予測自立語辞書検索部、予測付属語辞書検索部を制御して自立語候補と、自立語に続く付属語を抽出する。尚、自立語とは、語尾を含めて、それ自体で文節になりうるものを言う。
【００１２】
予測制御部は、制御部を介して、抽出された自立語候補と、自立語に続く付属語を出力部に出力する。
【００１３】
予測自立語辞書検索部は、予測自立語辞書を参照しながら、読み文字列と辞書見出しの読みが完全一致又は前方一致する自立語を検索し、その結果を予測制御部に返す。
【００１４】
予測付属語辞書検索部は、予測付属語辞書を参照しながら、予測された自立語に後続する付属語を自立語の品詞に基づいて検索し、その検索結果を予測制御部に返す。
【００１５】
予測自立語辞書は、自立語の読みと、自立語の読みに対する漢字仮名表記と、自立語の品詞などを定義した辞書である。
【００１６】
予測付属語辞書は、品詞の種類と、品詞毎の活用形に後続する付属語を定義した辞書である。
【００１７】
これらの構成部を含んだ、特許文献１に記載の文字予測入力方式は、概ね以下のように動作する。
【００１８】
制御部は、入力部から読み文字列を受け取ると、予測対象読み文字列バッファにその文字を追加し、予測制御部を起動する。予測制御部は、予測対象読み文字列バッファの文字列情報を予測自立語辞書検索部に送る。予測自立語辞書検索部は、予測自立語辞書を参照しながら、読み文字列と辞書見出しの読みが完全一致又は前方一致する自立語を検索し、その結果を予測制御部に返す。予測制御部は、自立語の検索結果のリストを受け取ると、予測付属語辞書検索部に検索結果の自立語を送る。予測付属語辞書検索部は、予測付属語辞書を参照しながら、予測された自立語の品詞に基づき後続する付属語を検索し、その検索結果を予測制御部に返す。予測制御部は、検索結果の自立語リストについて付属語の検索結果を受け取ると、各自立語に検索結果の付属語を使用頻度順に対応させて、予測候補バッファに格納し、制御部に制御を戻す。制御部は、予測候補バッファの内容を受け取り、自立語と付属語の表示制御を行う。
【００１９】
その結果、例えば、「でき」という読み文字列をユーザが入力すると、画面の予測候補ウインドウには、「出来、出来上が、デスク」などの自立語が表示される。ユーザが、画面上で「出来」をカーソルなどで選択すると、語尾ウインドウには、「ます、た、ました」などの助動詞の付属語が表示される。ユーザは、この付属語の中から、適切な語尾を選択することが出来る。
【００２０】
尚、上記動作説明は、本発明に関係する最小限の動作内容であり、公報には、予測自立語辞書検索部以外にユーザ表現検索部があり、また、読み文字列に対するかな漢字変換機能が用意されているが、それらの説明は省略している。
【００２１】
上記の特許文献１に記載の予測入力方式では、選択、確定された自立語の品詞情報により、付属語を使用頻度順に繋がり予測候補として表示している。そのため、敬語調のビジネス文書を作成中においても、口語調のメールでしか使用しない使用頻度の高い付属語が上位に表示されるという問題がある。
【００２２】
【特許文献１】特開２０００−４８０１８
【発明の開示】
【発明が解決しようとする課題】
【００２３】
上述した、特許文献１の文字入力装置では、敬語調（敬体モード）でビジネス文書を作成時に、敬体モードで使用する繋がり付属語予測候補が優先的に表示されず、文書作成効率が低下するという問題があった。
【００２４】
その理由は、読み文字列に対する単語が選択確定された場合、その単語への繋がり付属語予測候補は、いつも、繋がり付属語の使用頻度順に表示されるからである。
【００２５】
本発明の目的は、上述した課題である「敬語調（敬体モード）でビジネス文書を作成時に、敬体モードで使用する繋がり付属語予測候補が、優先的に表示されない」という問題を解決する文字入力装置および情報処理機器における文字入力方法を提供することにある。
【課題を解決するための手段】
【００２６】
本発明の文字入力装置は、
文字情報を表示する表示部と、
入力文字列に対する予測単語の情報を記憶する予測用単語データベースと、
前記予測単語に繋がる文字列となり得る付属語を記憶する繋がり付属語データベースと、
文字入力のための動作モードとして所定の表現モードを設定する設定部と、
文字入力時に入力された文字列に基づき前記予測用単語データベースから予測単語候補を検索し、検索された前記予測単語候補を前記表示部に表示し、表示された前記予測単語候補の１つを指定する予測単語候補表示制御部と、
指定された前記予測単語に基づき前記繋がり付属語データベースから繋がり付属語候補を選択し、前記設定部で所定の表現モードに設定されていれば、前記選択された繋がり付属語候補のうち前記所定の表現モードに適した付属語を優先的に前記表示部に表示する繋がり付属語候補表示制御部とを備える。
【００２７】
本発明の情報処理機器における文字入力方法は、
文字情報を表示する表示部と、入力文字列に対する予測単語の情報を記憶する予測用単語データベースと、前記予測単語に繋がる文字列となり得る付属語を記憶する繋がり付属語データベースと、文字入力のための動作モードとして所定の表現モードを設定する設定部と、を予め備え、
文字入力時に入力された文字列に基づき前記予測用単語データベースから予測単語候補を検索し、検索された前記予測単語候補を前記表示部に表示し、表示された前記予測単語候補の１つを指定すると、指定された前記予測単語に基づき前記繋がり付属語データベースから繋がり付属語候補を選択し、前記設定部で所定の表現モードに設定されていれば、前記選択された繋がり付属語候補のうち前記所定の表現モードに適した付属語を優先的に前記表示部に表示することを特徴とする。
【発明の効果】
【００２８】
本発明の文字入力装置および情報処理機器における文字入力方法は、たとえば、敬語調（敬体モード）でビジネス文書を作成時には、敬体モードにふさわしい繋がり付属語予測候補が、優先的に表示され、文書作成効率が向上するという効果がある。
【発明を実施するための最良の形態】
【００２９】
次に、本発明の実施の形態について図面を参照して詳細に説明する。
【００３０】
図１は、本発明の第１の実施の形態を示すブロック図である。
【００３１】
尚、本実施の形態の文字入力装置は、携帯電話機を想定している。
【００３２】
図１を参照すると、本実施の形態の文字入力装置は、入力部１、表示部２、予測単語候補表示制御部３、繋がり付属語候補表示制御部４、予測用単語データベース５、繋がり付属語データベース６、候補出力用記憶部７、及びモード記憶部８を含んで構成される。ただし、図１においては、携帯電話機として必要な無線通信部の通信制御部や、音声入出力部は、省略している。
【００３３】
入力部１は、テンキーや制御キーなどであり、文字列の入力、カーソルの移動、文字列の挿入削除などの編集指示、次候補表示、候補選択などのコマンドを入力する機能を有する。
【００３４】
表示部２は、ディスプレイを有し、入力された文字列や、予測された単語リストや、選択確定された単語や、選択確定された単語につながる繋がり付属語候補リストを表示する。
【００３５】
予測単語候補表示制御部３は、入力部１に文字が入力されると、入力部１からその文字を受け取り、内部の文字列バッファ（図示せず）にその文字を追加する。そして、予測単語候補表示制御部３は、文字列バッファ内の文字列を表示部２に表示すると共に、文字列バッファ内の文字列に基づき、予測用単語データベース７から予測単語候補を検索する。この検索方法については後述する。尚、入力部１からは、文字だけではなく、文字以外、例えば句読点なども入力される。予測単語候補表示制御部３は、文字か、文字以外可を判断して、文字の場合のみ文字列バッファにその文字を追加するものとする。
【００３６】
そして、予測単語候補表示制御部３は、検索された予測単語候補のリストを表示部２に表示し、リストの中の１つをユーザが選択するのを待機する。予測単語候補表示制御部３は、入力部１における選択キーの押下信号の受信により選択が行われたことを検出する。予測単語候補表示制御部３は、ユーザが、選択キーではなく確定キーを押下した場合は、入力された文字列で確定し、文字列入力待ちとなる。
【００３７】
予測単語候補表示制御部３は、予測用単語がユーザによって選択されると、表示中の文字列を選択された単語の漢字表記に変換して表示し、選択された予測用単語の品詞を繋がり付属語候補表示制御部４に渡す。
【００３８】
繋がり付属語候補表示制御部４は、予測単語候補表示制御部３から渡された単語の品詞に基づき、繋がり付属語データベース６を検索する。この検索方法については後述する。そして、繋がり付属語候補表示制御部４は、検索された繋がり付属語候補のリストを候補出力用記憶部７に格納する。次に、繋がり付属語候補表示制御部４は、モード記憶部８に敬体モードが設定されていなければ、検索された繋がり付属語候補をそのまま表示部２に表示し、繋がり付属語候補の中の１つがユーザに選択されるのを待機する。尚、モード記憶部８についても、詳細は後述する。繋がり付属語候補表示制御部４は、入力部１における選択キーの押下信号の受信により選択が行われたことを検出する。繋がり付属語候補表示制御部４は、ユーザが、選択キーではなく確定キーを押下した場合は、表示中の単語で確定し、予測単語候補表示制御部３に制御を戻し、文字列入力待ちとする。
【００３９】
繋がり付属語候補表示制御部４は、繋がり付属語候補の中の１つがユーザに選択された場合は、選択された繋がり付属語を、表示中の単語に続けて表示する。そして、繋がり付属語候補表示制御部４は、選択された繋がり付属語の品詞に基づき、繋がり付属語データベース８を検索し、繋がり付属語に続く繋がり付属語候補の選択処理を行う。
【００４０】
繋がり付属語候補表示制御部４は、繋がり付属語候補の中の１つがユーザに選択されずに、確定キーが押されれば、予測単語候補表示制御部３に制御を戻し、読み文字入力待ちとする。
【００４１】
次に、繋がり付属語候補表示制御部４は、モード記憶部８に敬体モードが設定されていれば、候補出力用記憶部７に格納された繋がり付属語候補の並び替えを行う。この並び替えは、敬体モードで使用する繋がり付属語候補が上位に来るように行われる。この並び換えの詳細については、後述する。繋がり付属語候補表示制御部４は、並び換えられた繋がり付属語候補を表示部２に表示し、繋がり付属語候補の中の１つがユーザに選択されるのを待機する。その後の繋がり付属語候補表示制御部４の処理は、モード記憶部８に敬体モードが設定されておらず、繋がり付属語候補の中の１つがユーザに選択されるのを待機する場合と同じである。
【００４２】
次に、予測用単語データベース５及びその検索方法について説明する。
【００４３】
予測用単語データベース５は、内部に予測用単語辞書を有している。
【００４４】
図２は、予測用単語辞書の一例を示す図である。図２を参照すると、予測用単語辞書は、自立語の読み、表記、使用頻度、品詞の項目から構成されている。
【００４５】
予測単語候補表示制御部３は、文字列バッファ内の読み文字列と辞書見出しの読みが完全一致又は前方一致する単語を検索する。
【００４６】
例えば、入力された読み文字列が「かく」の場合であれば、予測単語候補表示制御部３は、表記が「書く」を、抽出する。
【００４７】
次に、繋がり付属語データベース６及びその検索方法について説明する。
【００４８】
繋がり付属語データベース６は、内部に繋がり付属語辞書を有している。
【００４９】
図３は、繋がり付属語辞書の一例を示す図である。図３を参照すると、繋がり付属語辞書は、品詞と、品詞対応の付属語から構成される。図３では、繋がり付属語辞書は、品詞の一例として、五段動詞−未然形、五段動詞−連体形、五段動詞−終止・連体形、五段動詞−仮定／命令形を示し、それぞれの品詞における付属語例を示している。
【００５０】
繋がり付属語候補表示制御部４は、予測単語候補表示制御部３から渡された単語の品詞に基づき、繋がり付属語辞書を参照しながら、後続する付属語を検索する。
【００５１】
例えば、予測単語候補表示制御部３により表示された予測単語候補のうち、ユーザが、上述の「書く」を選択したとする。この場合、「書く」の品詞は、五段動詞−終止・連体形である。従って、繋がり付属語候補表示制御部４は、繋がり付属語辞書から後続する付属語として、図３の五段動詞−終止・連体形対応の付属語をリストアップする。
【００５２】
次に、候補出力用記憶部７は、繋がり付属語候補表示制御部４が、検索された繋がり付属語候補のリストを格納する場所であり、例えば、ＲＡＭ（Ｒａｎｄｏｍ  Ａｃｃｅｓｓ  Ｍｅｍｏｒｙ）内の予め定められたエリアであってもよい。
【００５３】
次に、モード記憶部８は、本実施の形態の文字入力装置の使用時のモードを格納する場所であり、書き換え可能なメモリであって、電源断時にも情報が消えないＳＲＡＭ（Ｓｔａｔｉｃ  Ｒａｎｄｏｍ  Ａｃｃｅｓｓ  Ｍｅｍｏｒｙ）などであってもよい。
【００５４】
尚、モードには、ビジネスメールなどの敬語調で使用する敬体モードと、口語調メールなどで使用する常体モードがある。この実施の形態では、敬体モード時に、モード記憶部８に「１」が設定されているものとする。また、この実施の形態では、モード記憶部８のモード情報の設定方法を問わない。例えば、予めモード情報の設定されたＳＲＡＭを外部から交換する方式であっても良いし、入力部１からのコマンドで設定する方式であっても良いし、あるいは、第２の実施の形態で示す自動方式で設定する方式であっても良い。また、本実施の形態のシステム立ちあげ時には、モード記憶部８はリセット、即ち、「０」が設定されているものとする。
【００５５】
次に、敬体モード時の繋がり付属語候補表示制御部４における、候補出力用記憶部７に格納された繋がり付属語候補の並び替えについて説明する。
【００５６】
先述したように、繋がり付属語候補表示制御部４は、モード記憶部８に敬体モードが設定されていれば、候補出力用記憶部７に格納された繋がり付属語候補の並び替えを行う。
【００５７】
繋がり付属語辞書に格納される付属語の順序は、工場出荷時になされており、特に使用モードを意識せずに設定されている。従って、候補出力用記憶部７にも、繋がり付属語辞書に格納される付属語の順序のまま格納される。この状態を本実施の形態では、常体モードと称している。常体モ−ドでは、敬体モードで使用する付属語がランダムに混じっている。
【００５８】
繋がり付属語候補表示制御部４は、モード記憶部８に敬体モードが設定されていれば、敬体モードで使用する付属語を上位に来るように並び換える。
【００５９】
例えば、前述の「書く」が選択された場合の図３の五段動詞−終止・連体形対応の付属語は、常体モードでの付属語リストである。
【００６０】
図４は、図３の五段動詞−終止・連体形対応の付属語の中で、敬体モードで使用する付属語を上位に来るように並び換えた場合の例を示す図である。
【００６１】
本実施の形態では、この並び換え時に必要となる、付属語を敬体モードで使用する付属語か敬体モードで使用しない付属語かを識別する方法は問わない。
【００６２】
例えば、図５に示すように、工場出荷時に、図３に示す付属語辞書における敬体モードで使用する付属語にはフラグをつけておき、繋がり付属語候補表示制御部４は、フラグがついた付属語を敬体モードで使用する付属語と判断する方法であっても良い。尚、図５において、「敬体」の列に付された「１」がフラグである。前述の図４は、繋がり付属語候補表示制御部４が、図５の五段動詞−終止・連体形対応の付属語の中で、このフラグをつけた付属語を上位に並び換えた場合の図である。
【００６３】
次に、予測単語候補表示制御部３における予測単語候補の表示例、及び繋がり付属語候補表示制御部４における繋がり付属語候補の表示例について示す。
【００６４】
図６は、「くる」という文字入力時の予測単語と、常体モ−ドでの繋がり付属語候補の表示例を示す図である。
【００６５】
左側が、「くる」を入力時に、予測単語候補表示制御部３が予測用単語辞書を検索し、検索された予測単語候補のリストを表示部２に表示した例である。右側が、「来る」が選択された場合に、繋がり付属語候補表示制御部４が、繋がり付属語辞書を参照しながら、付属語を検索し、検索された常体モ−ドでの繋がり付属語候補のリストを表示部２に表示した例である。尚、「来る」は、前述の「書く」と同様に、その品詞は、五段動詞−終止・連体形である。
【００６６】
また、図７は、「くる」という文字入力時の予測単語と、敬体モ−ドでの繋がり付属語候補の表示例を示す図である。
【００６７】
左側が、「くる」を入力時に、予測単語候補表示制御部３が予測用単語辞書予を検索し、検索された予測単語候補のリストを表示部２に表示した例である。右側が、「来る」が選択された場合に、繋がり付属語候補表示制御部４が、繋がり付属語辞書を参照しながら、繋がり付属語を検索し、敬体モードで使用する繋がり付属語を上位に並び換えて表示部２に表示した例である。
【００６８】
図７から分かるように、敬体モ−ドでの繋がり付属語候補は、敬体モ−ドで使用する繋がり付属語が優先的に表示されている。
【００６９】
次に、図８は、本実施の形態の動作を説明するフローチャートである。
【００７０】
（ステップ１）予測単語候補表示制御部３は、入力部１に文字が入力されると、入力部１からその文字を入力する。尚、図中のＳ１は、ステップ１のことであり、以降同様である。
【００７１】
（ステップ２）予測単語候補表示制御部３は、入力部１からその文字を受け取り、内部の文字列バッファ（図示せず）にその文字を追加する。そして、予測単語候補表示制御部３は、文字列バッファ内の文字列を表示部２に表示すると共に、文字列バッファ内の文字列に基づき、予測用単語データベース５から予測単語候補を検索する。
【００７２】
（ステップ３）予測単語候補表示制御部３は、検索された予測単語候補のリストを表示部２に表示し、リストの中の１つをユーザが選択するのを待機する。
【００７３】
（ステップ４）予測単語候補表示制御部３は、予測用単語が選択される選択キー信号を受信すると、表示中の文字列を選択された単語の漢字表記に変換して表示し、選択された予測用単語の品詞を繋がり付属語候補表示制御部４に渡す。
【００７４】
予測単語候補表示制御部３は、確定キー信号を受信した場合は、入力された文字列で確定し、文字列入力待ちとなる。
【００７５】
（ステップ５）繋がり付属語候補表示制御部４は、予測単語候補表示制御部３から渡された単語の品詞に基づき、繋がり付属語データベース８から繋がり付属語候補を検索する。
【００７６】
（ステップ６）繋がり付属語候補表示制御部４は、検索された繋がり付属語候補のリストを候補出力用記憶部７に格納する。
【００７７】
（ステップ７）繋がり付属語候補表示制御部４は、モード記憶部８に敬体モードが設定されているかどうか判定する。
【００７８】
（ステップ８）繋がり付属語候補表示制御部４は、モード記憶部８に敬体モードが設定されていれば、候補出力用記憶部７に格納された繋がり付属語候補の並び替えを行い、ステップ９へ飛ぶ。繋がり付属語候補表示制御部４は、モード記憶部８に敬体モードが設定されていなければ、ステップ９へ飛ぶ。
【００７９】
（ステップ９）繋がり付属語候補表示制御部４は、検索された繋がり付属語候補を表示部２に表示し、繋がり付属語候補の中の１つがユーザに選択されるのを待機する。
【００８０】
（ステップ１０）繋がり付属語候補表示制御部４は、選択キー信号を受信した場合は、ステップ５に飛び、確定キー信号を受信した場合は、入力された単語で確定し、ステップ１に飛び、文字列入力待ちとなる。
【００８１】
以上の説明から分かるように、第１の実施の形態の文字入力装置および情報処理機器における文字入力方法は、敬体モードで文書を作成時には、敬体モードにふさわしい繋がり付属語予測候補が優先的に表示され、文書作成効率が向上するという効果がある。
【００８２】
その理由は、本実施の形態は、予測用単語が選択されると、モード記憶部８に敬体モードが設定されていれば、敬体モードで使用する繋がり付属語候補が上位に来るように並び替えを行うからである。
【００８３】
次に、図９は、本発明の第２の実施の形態を示すブロック図である。
【００８４】
図２を参照すると、本実施の形態は、入力部１、表示部２、予測単語候補表示制御部３、繋がり付属語候補表示制御部４−１、予測用単語データベース５、繋がり付属語データベース６、候補出力用記憶部７、及びモード記憶部８を含んで構成される。さらに、本実施の形態は、モード設定制御部９、常体候補カウンタ１０を含んで構成される。
【００８５】
本ブロック図において、実施の形態１で説明した図１のブロックと、その符号が同一のブロックは、機能が同一であるため説明を省略する。
【００８６】
また、本実施の形態では、繋がり付属語データベース６における繋がり付属語辞書は、第１の実施の形態の図５で説明したように、工場出荷時に、敬体モードで使用する付属語にはフラグをつけてあるものとする。また、繋がり付属語候補表示制御部４−１は、繋がり付属語候補表示制御部４と同様、フラグがついた付属語を敬体モードで使用する付属語と判断するものとする。
【００８７】
繋がり付属語候補表示制御部４−１は、繋がり付属語候補表示制御部４と大部分は同じ機能である。その相違は、分かりやすくするため、図８のフローチャートで説明する。
【００８８】
図８のフローチャートのステップ１０で繋がり付属語候補の中の１つがユーザに選択された場合、繋がり付属語候補表示制御部４は、ステップ５に飛ぶのに対し、繋がり付属語候補表示制御部４−１は、モード設定制御部９を起動する点である。その場合、繋がり付属語候補表示制御部４−１は、選択された付属語がフラグを有するかどうかの情報をつけてモード設定制御部９を起動する。
【００８９】
即ち、図８のフローチャートのステップ１０で繋がり付属語候補表示制御部４−１は、繋がり付属語候補の中の１つがユーザに選択された場合、ステップ５に飛ぶ前に、モード設定制御部９により、選択された付属語に基づくモードの設定制御を行う。
【００９０】
モード設定制御部９は、繋がり付属語候補表示制御部４−１から起動されると、選択された付属語が敬体モード候補かどうか判断する。即ち、モード設定制御部９は、繋がり付属語候補表示制御部４−１から選択された付属語がフラグを有するとの情報をもらった場合は、選択された付属語が敬体モード候補であるとみなす。反対に、モード設定制御部９は、繋がり付属語候補表示制御部４−１から選択された付属語がフラグを有しないとの情報をもらった場合は、選択された付属語が常体モード候補であるとみなす。
【００９１】
モード設定制御部９は、選択された付属語が敬体モード候補である場合は、モード記憶部８に「１」を設定し、敬体モードとする。そして、モード設定制御部９は、常体候補カウンタ１０をリセットし、図８のフローチャートのステップ５に飛ぶ。
【００９２】
モード設定制御部９は、選択された付属語が常体モード候補である場合は、常体候補カウンタ１０を更新し（＋１し）、常体候補カウンタ１０の値が３より大きいのであれば、モード記憶部８に「０」を設定し、常体モードとする。モード設定制御部９は、常体候補カウンタ１０を更新してもその値が３以下であれば、図８のフローチャートのステップ５に飛ぶ。
【００９３】
常体候補カウンタ１０は、モード設定制御部９により使用され、常体モード候補の付属語が選択された回数を記憶するカウンタであり、敬体モード移行時にリセットされる。
【００９４】
次に、図１０は、本実施の形態の動作を示すフローチャートである。
【００９５】
図８と同一のステップ番号は、動作が同一であるため、Ｓ１〜Ｓ１０の説明は省略する。
【００９６】
（ステップ１１）モード設定制御部９は、繋がり付属語候補表示制御部４−１から起動されると、選択された付属語が敬体モード候補かどうか判断する。
【００９７】
（ステップ１２）モード設定制御部９は、選択された付属語が敬体モード候補である場合は、モード記憶部８に「１」を設定し、敬体モードとする。
【００９８】
（ステップ１３）モード設定制御部９は、常体候補カウンタ１０をリセットし、ステップ５に飛ぶ。
【００９９】
（ステップ１４）モード設定制御部９は、選択された付属語が常体モード候補である場合は、常体候補カウンタ１０を更新し（＋１）する。
【０１００】
（ステップ１５）モード設定制御部９は、常体候補カウンタ１０の値が３より大きいかどうか判定し、常体候補カウンタ１０の値が３以下であれば、ステップ５に飛ぶ。尚、本実施の形態で示した、比較値「３」は、一例でありこの値に限定されるものではない。
【０１０１】
（ステップ１６）モード設定制御部９は、常体候補カウンタ１０の値が３より大きいのであれば、モード記憶部８をリセットし、ステップ５に飛ぶ。
【０１０２】
以上説明したように、第２の実施の形態の文字入力装置および情報処理機器における文字入力方法は、敬体モードで文書を作成時には、敬体モードにふさわしい繋がり付属語予測候補が優先的に表示され、文書作成効率が向上するという効果がある。
【０１０３】
その理由は、本実施の形態は、予測用単語が選択されると、モード記憶部８に敬体モードが設定されていれば、敬体モードで使用する繋がり付属語候補が上位に来るように並び替えを行うからである。
【０１０４】
また、本実施の形態は、敬体モード及び、常体モードの切替を自動で行うことができる効果がある。
【０１０５】
その理由は、モード設定制御部９は、選択された付属語が敬体モード候補か常体モード候補かにより、及び常体モード候補の場合は常体候補カウンタ１０の値により、モードを決定し、モード記憶部８にモードを設定するからである。
【０１０６】
上述した実施の形態の文字入力装置を適用する情報処理機器は、携帯電話機に限定されず、文字入力機能を備えるＰＣなど、一般的な情報処理機器であってもよい。
【０１０７】
また、本発明の以上の実施の形態では文字入力の動作モードとして所定の表現モードを設定する手段として、モード記憶部８（図１および図９）を使用しているが、これ以外、例えばスイッチの設定で所定の表現モードを設定してもよい。
【０１０８】
また、所定の表現モードとして、敬語調で文章を作成する場合の敬体モードと口語調で文章を作成する場合の常体モードを例として説明したが、それ以外でも良い。例えば、所定の表現モードとして、方言モードと標準語モードに設定するようにしても良い。この場合、予測単語に繋がる文字列となり得る付属語を記憶する繋がり付属語データベースとして、方言モードの表現形式の繋がり付属語を記憶しておく。
【０１０９】
さらに、所定の表現モードに適した付属語を優先的に表示部に表示する繋がり表示制御手段において、前述の実施の形態では、敬体モードの繋がり付属語候補が上位に来るように並び替えていた。しかし、並び替えのほかに、繋がり付属語候補を強調して表示したり、色を変えて表示するようにしても良い。
【０１１０】
また、入力文字列に対する予測単語の情報を記憶する予測用単語データベースと、予測単語に繋がる文字列となり得る付属語を記憶する繋がり付属語データベースとは、それぞれ入力部により書き換え可能としても良い。また、これらデータベースの内容は、通信手段を経由してダウンロードしたり、書き換えできるようにしても良い。
【０１１１】
さらに、入力部は、表示部と一体的に形成されたタッチパネルでも良い。
【図面の簡単な説明】
【０１１２】
【図１】本発明の第１の実施の形態を示すブロック図である。
【図２】予測用単語辞書の一例を示す図である。
【図３】繋がり付属語辞書の一例を示す図である。
【図４】五段動詞−終止・連体形対応の付属語の中で、敬体モードで使用する付属語を上位に来るように並び換えた場合の例を示す図である。
【図５】付属語辞書における敬体モードで使用する付属語にフラグをつけた場合を示す図である。
【図６】「くる」という文字入力時の予測単語と、常体モ−ドでの繋がり付属語候補の表示例を示す図である。
【図７】「くる」という文字入力時の予測単語と、敬体モ−ドでの繋がり付属語候補の表示例を示す図である。
【図８】第１の実施の形態の動作を説明するフローチャートである。
【図９】本発明の第２の実施の形態を示すブロック図である。
【図１０】第２の実施の形態の動作を示すフローチャートである。
【符号の説明】
【０１１３】
１    入力部
２    表示部
３    予測単語候補表示制御部
４    繋がり付属語候補表示制御部
４−１    繋がり付属語候補表示制御部
５    予測用単語データベース
６    繋がり付属語データベース
７    候補出力用記憶部
８    モード記憶部
９    モード設定制御部
１０    常体候補カウンタ
【図１】
0005141135.tif 000002
【図２】
0005141135.tif 000003
【図３】
0005141135.tif 000004
【図４】
0005141135.tif 000005
【図５】
0005141135.tif 000006
【図６】
0005141135.tif 000007
【図７】
0005141135.tif 000008
【図８】
0005141135.tif 000009
【図９】
0005141135.tif 000010
【図１０】
0005141135.tif 000011